【手続補正書】
【提出日】平成15年11月12日(2003.11.12)
【手続補正１】
【補正対象書類名】明細書
【補正対象項目名】発明の名称
【補正方法】変更
【補正の内容】
【発明の名称】光伝送体、光伝送体アレイおよびプレートレンズ


【手続補正２】
【補正対象書類名】明細書
【補正対象項目名】特許請求の範囲
【補正方法】変更
【補正の内容】
【特許請求の範囲】
【請求項１】
中心から外周部に向かって屈折率が連続的に減少している円柱状の光伝送体であって、外周面から中心に向かう１００μｍ以内の部分に光吸収剤がほぼ均一に混在する光吸収剤混在層がＮ層（Ｎ≧２）形成されており、中心から外周部に向ってｎ層目（ｎ＝１，２，・・・・・，Ｎ）の光吸収剤混在層内における光吸収剤の濃度をｄｎとしたとき、ｄｎ≧５ｄｎ−１であることを特徴とする光伝送体。
【請求項２】
中心から外周部に向かって屈折率が連続的に減少している円柱状の光伝送体であって、外周面から中心に向かう１００μｍ以内の部分に光吸収剤がほぼ均一に混在する光吸収剤混在層がＮ層（Ｎ≧２）形成されており、中心から外周部に向ってｎ層目（ｎ＝１，２，・・・・・，Ｎ）の光吸収剤混在層内における特定波長での吸光度をＡｎとしたとき、Ａｎ≧５Ａｎ−１であることを特徴とする光伝送体。
【請求項３】
請求項１または請求項２に記載の光伝送体を複数互いに平行になるようにし且つ隣接するものどうしが３０μｍ未満の間隔を持つようにして該光伝送体の中心軸の方向を横切る１つの方向に１列に配列してなる光伝送体配列を少なくとも１つ有することを特徴とする光伝送体アレイ。
【請求項４】
請求項１または２に記載の光伝送体を複数互いに平行になるようにして密着させて該光伝送体の中心軸の方向を横切る方向に平面状に配列してなることを特徴とするレンズプレート。
【手続補正３】
【補正対象書類名】明細書
【補正対象項目名】０００９
【補正方法】変更
【補正の内容】
【０００９】
本発明によれば、以上の如き問題を解決するものとして、
中心から外周部に向かって屈折率が連続的に減少している円柱状の光伝送体であって、外周面から中心に向かう１００μｍ以内の部分に光吸収剤がほぼ均一に混在する光吸収剤混在層がＮ層（Ｎ≧２）形成されており、中心から外周部に向ってｎ層目（ｎ＝１，２，・・・・・，Ｎ）の光吸収剤混在層内における光吸収剤の濃度をｄｎとしたとき、ｄｎ≧５ｄｎ−１であることを特徴とする光伝送体、
が提供される。


【手続補正４】
【補正対象書類名】明細書
【補正対象項目名】００１０
【補正方法】変更
【補正の内容】
【００１０】
また、本発明によれば、以上の如き問題を解決するものとして、
中心から外周部に向かって屈折率が連続的に減少している円柱状の光伝送体であって、外周面から中心に向かう１００μｍ以内の部分に光吸収剤がほぼ均一に混在する光吸収剤混在層がＮ層（Ｎ≧２）形成されており、中心から外周部に向ってｎ層目（ｎ＝１，２，・・・・・，Ｎ）の光吸収剤混在層内における特定波長での吸光度をＡｎとしたとき、Ａｎ≧５Ａｎ−１であることを特徴とする光伝送体、
が提供される。


【手続補正５】
【補正対象書類名】明細書
【補正対象項目名】００１２
【補正方法】変更
【補正の内容】
【００１２】
更に、本発明によれば、以上のような光伝送体を複数互いに平行になるようにし且つ隣接するものどうしが３０μｍ未満の間隔を持つようにして該光伝送体の中心軸の方向を横切る１つの方向に１列に配列してなる光伝送体配列を少なくとも１つ有することを特徴とする光伝送体アレイ、が提供される。


【手続補正６】
【補正対象書類名】明細書
【補正対象項目名】００１４
【補正方法】削除
【補正の内容】
【手続補正７】
【補正対象書類名】明細書
【補正対象項目名】００５７
【補正方法】変更
【補正の内容】
【００５７】
実施例２、参照例１、２
第４層，第５層への日本化薬（株）製染料Ｂｌｕｅ  ＡＣＲの添加量を表１のように変更した以外は実施例１と同様にして光伝送体を得た。


【手続補正８】
【補正対象書類名】明細書
【補正対象項目名】００５８
【補正方法】変更
【補正の内容】
【００５８】
これらの光伝送体を用いて、実施例１と同様にして光伝送体アレイを得た。これらの光伝送体アレイを実施例１と同様に評価したところ表１に示すような性能であった。尚、各例において各層の吸光度を測定したところ、参照例１ではＡ２ はＡ１ の約１．５倍であり、参照例２ではＡ２ はＡ１ の約２倍であり、実施例２ではＡ２ はＡ１ の約５倍であった。


【手続補正９】
【補正対象書類名】明細書
【補正対象項目名】００５９
【補正方法】変更
【補正の内容】
【００５９】
【表１】
2000035518.tif 000001
これらの光伝送体アレイを用いて実施例１と同様にイメージスキャナを組み立てた。これらのイメージスキャナはフレア光、クロストーク光による影響が非常に少なく解像度が高く、光伝送体アレイは画像をクリアに伝送することができた。


【手続補正１０】
【補正対象書類名】明細書
【補正対象項目名】００６０
【補正方法】変更
【補正の内容】
【００６０】
実施例３
染料の種類と添加量以外の第１層〜第５層形成用の原液組成を実施例１と同様とし、更に第３層形成用の原液中に日本化薬（株）製染料Ｂｌｕｅ  ＡＣＲ  ０．００６重量部、三井東圧染料（株）製染料ＭＳ  Ｙｅｌｌｏｗ  ＨＤ−１８０  ０．００６重量部、及び三井東圧染料（株）製染料ＭＳ  Ｍａｇｅｎｔａ  ＨＭ−１４５０  ０．００６重量部、第４層形成用の原液中に日本化薬（株）製染料Ｂｌｕｅ  ＡＣＲ  ０．１２重量部、三井東圧染料（株）製染料ＭＳ  Ｙｅｌｌｏｗ  ＨＤ−１８０  ０．１０重量部、及び三井東圧染料（株）製染料ＭＳ  Ｍａｇｅｎｔａ  ＨＭ−１４５０  ０．０８重量部、第５層形成用の原液中に日本化薬（株）製染料Ｂｌｕｅ  ＡＣＲ  ０．３０重量部、三井東圧染料（株）製染料ＭＳ  Ｙｅｌｌｏｗ  ＨＤ−１８０  ０．２０重量部、及び三井東圧染料（株）製染料ＭＳ  Ｍａｇｅｎｔａ  ＨＭ−１４５０  ０．１８重量部、を添加して実施例１と同様にして７０℃にて加熱混練し、第３，４，５層形成用の原液とした。複合紡糸ノズルの温度を４２℃とし、各層の吐出比は半径方向寸法の比で３５／３８／２０／６／１とした。


【手続補正１１】
【補正対象書類名】明細書
【補正対象項目名】００７７
【補正方法】変更
【補正の内容】
【００７７】
実施例４〜５、参照例３〜４
実施例１〜２、参照例１〜２の光伝送体を複数本を用い、断面Ｕ字型の複数の溝が互いに平行に等間隔に設けられたフェノール樹脂基板２枚を用いて、これら基板の間に前記溝に対応して光伝送体を互いに平行になるように４０μｍの間隔（光伝送体の中心間距離は９８０μｍ）で１列に配列した以外は実施例１と同様にして光伝送体アレイを作製した。


【手続補正１２】
【補正対象書類名】明細書
【補正対象項目名】００７９
【補正方法】変更
【補正の内容】
【００７９】
実施例６〜７、参照例５〜６
光伝送体を２０μｍの間隔（光伝送体の中心間距離は９６０μｍ）で配列した  以外は実施例４〜５、参照例３〜４と同様にして光伝送体アレイを作製した。


【手続補正１３】
【補正対象書類名】明細書
【補正対象項目名】００８５
【補正方法】変更
【補正の内容】
【００８５】
実施例８
染料の種類と添加量以外の第１層〜第５層形成用の原液の組成を実施例１と同様とし、第４層の原液中に日本化薬（株）製染料Ｂｌｕｅ  ＡＣＲ  ０．０６重量部、三井東圧染料（株）製染料ＭＳ  Ｙｅｌｌｏｗ  ＨＤ−１８０  ０．０４重量部、及び三井東圧染料（株）製染料ＭＳ  Ｍａｇｅｎｔａ  ＨＭ−１４５０  ０．０４重量部、第５層の原液中に日本化薬（株）製染料Ｂｌｕｅ  ＡＣＲ０．５０重量部、三井東圧染料（株）製染料ＭＳ  Ｙｅｌｌｏｗ  ＨＤ−１８０  ０．２２重量部、及び三井東圧染料（株）製染料ＭＳ  Ｍａｇｅｎｔａ  ＨＭ−１４５０  ０．１４重量部、を添加して実施例１と同様にして７０℃にて加熱混練し、第４，５層形成用の原液とした。


【手続補正１４】
【補正対象書類名】明細書
【補正対象項目名】００８９
【補正方法】変更
【補正の内容】
【００８９】
実施例９
染料の種類と添加量以外の第１層〜第５層形成用の原液の組成を実施例１と同様とし、第４層の原液中に日本化薬（株）製染料Ｂｌｕｅ  ＡＣＲ  ０．０６重量部、第５層の原液中に日本化薬（株）製染料Ｂｌｕｅ  ＡＣＲ  ０．５０重量部、三井東圧染料（株）製染料ＭＳ  Ｙｅｌｌｏｗ  ＨＤ−１８０  ０．２２重量部、及び三井東圧染料（株）製染料ＭＳ  Ｍａｇｅｎｔａ  ＨＭ−１４５０  ０．１４重量部、を添加して実施例１と同様にして７０℃にて加熱混練し、第４，５層形成用の原液とした。